(57)【要約】      （修正有）【課題】生ゴミがいっぱいになっても、外れることがない、流し用ゴミカゴまたは三角コーナーに用いて生ゴミを処理するための水切りネットを提供する。【解決手段】水切りネットは、袋状を呈する本体１０を有し、本体の下縁部近傍に封止部１１が横断するように設けられると共に、本体の上縁部近傍に締付け部１２が設けられる。水切りネットをゴミカゴに掛ける時に、本体の上縁部及び締付け部がゴミカゴの上縁部からやや延出した部分を折り返せば、締付け部をゴミカゴの上縁部近傍に縛ることができる。従って、生ゴミがいっぱいになっても、水切りネットがゴミカゴから外れることはない。【選択図】図１
0003196662.tif 000002
【実用新案登録請求の範囲】
【請求項１】
袋状を呈する本体を有し、該本体の下縁部近傍に封止部が横断するように設けられると共に、該本体の上縁部近傍に締付け部が設けられることを特徴とする水切りネット。
【請求項２】
前記本体の上縁部近傍における両側にそれぞれ締付け部が設けられることを特徴とする請求項１に記載の水切りネット。
【請求項３】
前記締付け部が封止部と平行となるように形成されることを特徴とする請求項１または２に記載の水切りネット。
【請求項４】
前記締付け部が本体の上縁部から１．５ｃｍの箇所に設けられることを特徴とする請求項１または２に記載の水切りネット。
【請求項５】
前記締付け部は、５ｍｍの幅を有すると共に、２０ｍｍの長さを有することを特徴とする請求項１または２に記載の水切りネット。
【考案の詳細な説明】
【技術分野】
【０００１】
本考案は、特に流し用ゴミカゴまたは三角コーナーに用いて生ゴミを処理する水切りネットに関するものである。
【背景技術】
【０００２】
水切りネットは通常、流し用ゴミカゴまたは三角コーナーに掛けて、生ゴミがたまったら、水を切って生ゴミを処理するものである。図３に示すように、既存の水切りネット５０は、矩形の袋状を呈し、上部に開口が形成され、底縁近傍に封止シール５１が横断するように形成される。また、その水切りネット５０は、ポリエチレン(PE)や、ポリプロピレン(PP)、ポリエチレンテレフタレート(PET)などの材質からなることから、延展性に優れるものである。
【０００３】
また、図４に示すように、既存の水切りネット５０をゴミカゴ６０に掛けると、その材質からの延展性によって、ゴミカゴ６０の内周面にフィットした状態で展開できると共に、ゴミカゴ６０の上縁から突出した延出し部分５２を折り返してゴミカゴ６０の外周面に掛けることができることから、生ゴミがたまって、水を切り、生ゴミを簡単に処理することができる。
【考案の概要】
【考案が解決しようとする課題】
【０００４】
しかしながら、既存の水切りネットは、材質の特性により延展性に優れるが、収縮性に劣ることから、生ゴミがいっぱいになると、重さによりその折り返し部分５２がゴミカゴの内部へ引っ張られて外周縁から外れてしまうという問題があった。
故に、既存の水切りネットでは、ゴミカゴの外周面から外れないようにするために、その上下方向の長さを長くしなければならないので、生産コストが増大すると共に、材料も余計に必要となる。
【課題を解決するための手段】
【０００５】
本考案に係る水切りネットは、袋状を呈する本体を有し、該本体の下縁部近傍に封止部が横断するように設けられると共に、該本体の上縁部近傍に締付け部が設けられるものである。
【０００６】
かかる水切りネットにおいて、前記本体の上縁部近傍における両側にそれぞれ締付け部が設けられることが好ましい。
【０００７】
かかる水切りネットにおいて、前記締付け部が封止部と平行となるように形成されることが好ましい。
【０００８】
かかる水切りネットにおいて、前記締付け部が本体の上縁部から１．５ｃｍの箇所に設けられることが好ましい。
【０００９】
かかる水切りネットにおいて、前記締付け部は、５ｍｍの幅を有すると共に、２０ｍｍの長さを有することが好ましい。
【考案の効果】
【００１０】
前記の構造によれば、本考案に係る水切りネットをゴミカゴに掛ける時、本体の上縁部及び締付け部がゴミカゴの上縁部からやや延出した部分を折り返せば、その締付け部をゴミカゴの上縁部近傍に縛ることができることから、生ゴミをいっぱいになっても、締付け部によりゴミカゴの上縁部にしっかりと固定されるので、水切りネットがゴミカゴから外れることはない。
【００１１】
また、その水切りネットにおける、本体両側の締付け部との間の左右方向の幅Ｗ２は、本体の左右方向に横断する幅Ｗ１より短いことから、水切りネットをゴミカゴに掛けて、その本体の上縁部を折り返しては、それらの締付け部によりゴミカゴを縛ることができ、水切りネットがゴミカゴから外れることはない。
【図面の簡単な説明】
【００１２】
【図１】本考案に係る水切りネットの平面図である。
【図２】本考案に係る水切りネットをゴミカゴに取り付けた状態を示す断面図である。
【図３】既存の水切りネットの平面図である。
【図４】既存の水切りネットをゴミカゴに取り付けた状態を示す断面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１に示すように、本考案に係る水切りネットは、袋状を呈する本体１０を有し、該本体１０の下縁部近傍に封止部１１が横断するように設けられると共に、該本体１０の上縁部近傍に締付け部１２が設けられる。尚、その締付け部１２は、熱圧接着手段によりなり、前記封止部１１と平行となるように設けられることが好ましい。
【００１５】
図１及び図２に示すように、前記本体１０は、左右方向の幅Ｗ１を有すると共に、該本体１０の上縁部近傍における、該締付け部１２の内側の幅Ｗ２を有し、その幅Ｗ２は、該本体１０を横断する幅Ｗ１より狭いことから、水切りネットに締付けて固定する効果を有する。すなわち、その水切りネットをゴミカゴ６０に掛ける時、その水切りネットの上縁部及び締付け部１２がゴミカゴ６０の上縁部からやや延出した部分を折り返せば、締付け部１２により本体１０をゴミカゴ６０の上縁部近傍に締付け固定することができる。
【００１６】
本考案に係る水切りネットを使用する時は、大量の生ゴミが水切りネットに入っても、締付け部１２によってゴミカゴ６０の上縁部に固定されているので、ゴミカゴ６０から外れることはない。
【００１７】
尚、本考案に係る水切りネットでは、本体１０の上縁部近傍における両側にそれぞれ締付け部１２が設けられることが好ましい。
この構造によれば、水切りネットをゴミカゴ６０に掛ける時、両側の締付け部１２により締付け力を強化でき、そのままの設置状態を常に維持することができる。
尚、その締付け部１２は、封止部１１の長さより短く、本体１０の上縁部から１．５ｃｍの箇所に形成され、それぞれの上下方向の幅を５ｍｍにし、左右方向の長さを２０ｍｍにすることが好ましい。この設計によれば、本考案に係る水切りネットが製造しやすいと共に、ゴミカゴ６０に装着も簡単で、生ゴミを沢山収納しても水切りネットがゴミカゴ６０から外れることもないので、実用性及び利便性に優れている。
【００１８】
また、図１及び図２に示すように、その水切りネットにおける締付け部と対応した本体の左右方向に横断する部分において、その締付け部を有しない横断部分の幅Ｗ２は、締付け部を含む横断部分の幅Ｗ１より短いことから（図１の如く）、水切りネットをゴミカゴにかけて本体の上縁部を折り返しては、締付け部によりゴミカゴを縛ることができる（図２の如く）。
さらに、本考案に係る水切りネットの締付け部１２は、展開しても収縮力に優れて簡単に復位するので、ゴミカゴ６０への着脱も容易である。
【符号の説明】
【００１９】
１０    本体
１１    封止部
１２    締付け部
Ｗ１、Ｗ２  幅
５０    水切りネット
５１    封止シール
５２    延出し部分
６０    ゴミカゴ
【図１】
0003196662.tif 000003
【図２】
0003196662.tif 000004
【図３】
0003196662.tif 000005
【図４】
0003196662.tif 000006